(57)【要約】  乾式配管スプリンクラー組立品は、スプリンクラー本体と、当該本体に搭載される熱応答トリガーとを備えている。入口端及び出口端が設けられた筐体は、当該出口端が当該スプリンクラー本体に連結するようにして配設されている。シール部材は、筐体の入口端に配置され、荷重機構が当該熱応答素子と当該シール部材との間に広がっている。当該荷重機構は、サポート部材と、流路チューブ部材と、出口オリフィス部とを、筐体内部において摺動可能なかたちで有することができ、当該熱応答素子が作動すると筐体内部で移動して抑制液を流すことができるように筐体の入口端からシール部材は取り外されるように構成されている。本乾式配管スプリンクラー組立品は、異なる出口オリフィス部材を使用することで、乾式配管スプリンクラー組立品として残っている他の共通構成をを用いた場合であっても異なるＫファクタを有する乾式配管スプリンクラー組立品を提供することを可能にする。【特許請求の範囲】
【請求項１】
スプリンクラーであって、
スプリンクラー本体と、
上記スプリンクラー本体に搭載された熱応答素子と、
入口端及び出口端を有し、当該出口端が上記スプリンクラー本体と連結できるように構成されている筐体と、
上記筐体の上記入口端に配置されたシール部材と、
上記熱応答素子と上記シール部材との間に広がる荷重機構と、
を備えていることを特徴とするスプリンクラー。
【請求項２】
上記荷重機構は、上記シール部材と連結するとともに、上記筐体に対して摺動可能であるサポート部を有していることを特徴とする請求項１に記載のスプリンクラー。
【請求項３】
上記荷重機構は更に、上記サポート部と連結するとともに、上記筐体に対して摺動可能である流路チューブ部を有していることを特徴とする請求項２に記載のスプリンクラー。
【請求項４】
上記サポート部は、上記流路チューブ部に対して圧入されていることを特徴とする請求項３に記載のスプリンクラー。
【請求項５】
上記荷重機構は更に、上記流路チューブ部と上記熱応答素子との間に出口オリフィス部材を有していることを特徴とする請求項３に記載のスプリンクラー。
【請求項６】
上記出口オリフィス部材は、上記熱応答素子と連結される支持プラグに対して配置されていることを特徴とする請求項５に記載のスプリンクラー。
【請求項７】
上記シートサポート部、上記流路チューブ部と、上記出口オリフィス部材とは、それぞれ別体で構成されていることを特徴とする請求項５に記載のスプリンクラー。
【請求項８】
上記出口オリフィス部材は、上記流路チューブ部よりも流路が狭いことを特徴とする請求項５に記載のスプリンクラー。
【請求項９】
上記筐体は、上記シール部材を支持するための入口部を有しており、
上記入口部は、上記シール部材を受けとめるシート面を有していることを特徴とする請求項１に記載のスプリンクラー。
【請求項１０】
上記入口部は、配管システムに連結することができるように構成された締結部を有しており、
上記シート面は、上記締結部を越えて、軸方向に上記スプリンクラー本体から離れる方向に伸びていることを特徴とする請求項９に記載のスプリンクラー。
【請求項１１】
上記入口部には、上記シート面と隣接する端部にスロットが設けられていることを特徴とする請求項１０に記載のスプリンクラー。
【請求項１２】
上記荷重機構は、上記筐体に対して軸方向に移動可能であることを特徴とする請求項１に記載のスプリンクラー。
【請求項１３】
上記荷重機構は、肩部を有しており、
上記スプリンクラーは、上記熱応答素子が作動すると上記荷重機構の上記肩部と連結するためのストップ面を有していることを特徴とする請求項１２に記載のスプリンクラー。
【請求項１４】
上記シール部材は、スプリングシート部材を有しており、当該スプリングシート部材は当該シール部材に組み込まれた状態で設けらえていることを特徴とする請求項１に記載のスプリンクラー。
【請求項１５】
上記スプリングシート部材は、貼り付きを防ぐためのコートが施されていることを特徴とする請求項１４に記載のスプリンクラー。
【請求項１６】
上記スプリンクラーは更に、上記筐体の中に配置されている変位リングを備えており、
上記熱応答素子が作動すると上記シール部材と連結する、半径方向内向きに伸びた指部を有していることを特徴とする請求項１に記載のスプリンクラー。
【請求項１７】
上記スプリンクラー本体は、上記熱応答素子を先行載荷するためのピントルネジを受けとめるためのねじボスを有していることを特徴とする請求項１に記載のスプリンクラー。
【請求項１８】
上記スプリンクラー本体に搭載される偏向手段を更に備えていることを特徴とする請求項１に記載のスプリンクラー。
【請求項１９】
上記スプリンクラー本体は、上記筐体にねじ止めすることができるように構成されていることを特徴とする請求項１に記載のスプリンクラー。
【請求項２０】
上記筐体にねじ止めでき、且つ上記スプリンクラー本体に対向配置されるロックナットを更に備えていることを特徴とする請求項１９に記載のスプリンクラー。
【請求項２１】
上記荷重機構は、上記筐体及び上記スプリンクラー本体の少なくとも１つに対向配置されたベアリング面を有していることを特徴とする請求項１に記載のスプリンクラー。
【請求項２２】
上記荷重機構は、出口オリフィスを有する内部流路を規定していることを特徴とする請求項１に記載のスプリンクラー。
【請求項２３】
上記出口オリフィスは、Ｋファクタが１４以上のフロー能を有していることを特徴とする請求項２２に記載のスプリンクラー。
【請求項２４】
上記熱応答素子は、１００メートル１／２秒１／２以下のＲＴＩを有していることを特徴とする請求項１に記載のスプリンクラー。
【請求項２５】
スプリンクラーであって、
スプリンクラー本体と、
上記スプリンクラー本体に搭載された熱応答素子と、
入口端及び出口端を有し、当該出口端が上記スプリンクラー本体と連結できるように構成されている筐体と、
上記筐体の上記入口端に配置されたシール部材と、
上記熱応答素子と上記シール部材との間に広がる荷重機構と、
を備えており、
上記荷重機構は、上記シール部材を軸方向に支持するサポート部を有しており、
上記サポート部は、上記熱応答素子の作動で上記シール部材が上記筐体の上記入口端から離れたときに上記シール部材を捕らえる複数の脚部を有していることを特徴とするスプリンクラー。
【請求項２６】
上記筐体の中に配置されている変位リングを更に備えており、
上記熱応答素子が作動すると上記シール部材と連結する、半径方向内向きに伸びた指部を有していることを特徴とする請求項２５に記載のスプリンクラー。
【請求項２７】
スプリンクラーであって、
スプリンクラー本体と、
上記スプリンクラー本体に搭載された熱応答素子と、
入口端及び出口端を有し、当該出口端が上記スプリンクラー本体と連結できるように構成されている筐体と、
上記筐体の上記入口端に配置されたシール部材と、
上記熱応答素子と上記シール部材との間に広がる荷重機構と、
を備えており、
上記シール部材を支持するための入口部を有しており、
上記入口部は、上記シール部材を受けとめるシート面を有しており、
上記入口部は、配管システムに連結することができるように構成された締結部を有しており、
上記シート面は、上記締結部を越えて、軸方向に上記スプリンクラー本体から離れる方向に伸びており、
上記入口部には、上記シート面と隣接する端部にスロットが設けられていることを特徴とするスプリンクラー。
【請求項２８】
冷凍倉庫内で用いるための火炎抑制剤乾式スプリンクラーシステムであって、
上記冷凍倉庫の外面に配置する液体供給配管と、
上記液体供給配管と連結するとともに、上記冷凍倉庫の内部へ伸びている管状筐体と、
上記冷凍倉庫の内部において、上記管状筐体に取り付けられているスプリンクラー本体と、
上記スプリンクラー本体に支持されている熱応答素子と、
上記筐体の上記入口端に配置されているシール部材と、
上記熱応答素子と上記シール部材との間に広がる荷重機構と、
を備えており、
上記荷重機構は、上記スプリンクラー本体に受けとめられた摺動可能な出口オリフィス部材を有しており、当該出口オリフィス部材は、上記熱応答素子に対向配置されているピプキャップに対向して配置されていることを特徴とする火炎抑制剤乾式スプリンクラーシステム。
【請求項２９】
上記出口オリフィス部材は、互いに異なる径のオリフィス開口を有する複数の代替出口オリフィス部材を有していることを特徴とする請求項２８に記載の火炎抑制剤乾式スプリンクラーシステム。
【請求項３０】
冷凍倉庫内で用いるための乾式スプリンクラーシステムであって、
上記冷凍倉庫の外面に配置する液体供給配管と、
上記液体供給配管と連結するとともに、上記冷凍倉庫の内部へ伸びている管状筐体と、
上記冷凍倉庫の内部において、上記管状筐体に取り付けられているスプリンクラー本体と、
上記スプリンクラー本体に支持されている熱応答素子と、
上記筐体の上記入口端に配置されているシール部材と、
上記熱応答素子と上記シール部材との間に広がる荷重機構と、
を備えており、
上記スプリンクラー本体には、Ｋファクタが１４以上の出口オリフィスが設けられていることを特徴とする乾式スプリンクラーシステム。
【請求項３１】
上記熱応答素子は、１００メートル１／２秒１／２以下のＲＴＩを有していることを特徴とする請求項３０に記載の乾式スプリンクラーシステム。
【請求項３２】
スプリンクラーであって、
スプリンクラー本体と、
上記スプリンクラー本体に搭載された熱応答素子と、
入口端及び出口端を有し、当該出口端が上記スプリンクラー本体と連結できるように構成されている筐体と、
上記筐体の上記入口端に配置されたシール部材と、
上記熱応答素子と上記シール部材との間に広がる荷重機構と、
を備えており、
上記荷重機構は、上記シール部材に対して軸方向荷重を加えるように構成されていることを特徴とするスプリンクラー。
【請求項３３】
上記熱応答素子は、１００メートル１／２秒１／２以下のＲＴＩを有していることを特徴とする請求項３２に記載のスプリンクラー。
【請求項３４】
上記出口オリフィスは、Ｋファクタが１４以上のフロー能を有していることを特徴とする請求項３２に記載のスプリンクラー。
【発明の詳細な説明】
【発明の詳細な説明】
【０００１】
〔本発明の技術分野〕
本発明は、ビル等において使用される自動消化システムに関するものであり、具体的には、通常は、１つまたは複数のスプリンクラーの近傍で火災が起こるまではスプリンクラーから水が除かれている乾式配管型の消化システムに関するものである。
【０００２】
〔背景技術〕
本項に記載の内容は、本願発明の背景となる情報について述べているものであり、従来技術を構成するものではない。
【０００３】
防火システム用の乾式スプリンクラーは、長年にわたって用いられてきた。乾式スプリンクラーは、設計に応じて、アップライト型のものや、吊り下げ型のもの搭載することができる。一般的に、乾式スプリンクラーは、配管システムに導入することができるスプリンクラーを備えている。このスプリンクラーは、その入射端部にバルブを有しており、これにより、熱応答機構が崩壊することでスプリンクラーが作動するまで配管ライン内の水または液状の消火薬剤が流入することを防ぐことができる。スプリンクラーのバルブ端は、水供給管にねじ込まれているか、固定されている。この種の乾式配管スプリンクラーは、火炎抑制液にとって、冷凍温度に維持するように調整されている倉庫における火災を抑制及び調整するために特に好適である。多くの倉庫のクーラーや冷凍庫においては、冷蔵または冷凍温度を調整するための区画は、温倉庫内またはビルに設けられた箱型筐体または建築区画である。火災に対して調整または抑制を行なうことが期待されるスプリンクラーシステムは、概して、感熱スプリンクラートリガー組立品の動作と同時に液体またはガスを迅速に提供するためのスプリンクラー組立品となるように加圧される、水または火災抑制剤を含んだ湿式配管システムである。
【０００４】
近年、冷蔵または冷凍領域を保護するために用いられている手法は、不凍剤を充填するシステムであり、火災を調整または抑制するための水が充填される前に不凍剤を排除するための時間を十分確保することができる量の不凍剤を充填するシステムである。または、配管システムを加圧する空気またはガスを充填した乾式配管システムが用いられる。この乾式配管システムは、火災を検知して水が供給される場合には、スプリンクラーを通じて消化すべき所に水が送られる前に、充填されている空気またはガスを排除されるような構成である。抑制モードのスプリンクラーにとっては、消化するために火災抑制剤を用いるのはコストがかかるため、湿式システムのみを用いることが望まれる。昨今の乾式配管スプリンクラー技術では、Ｋファクタが１４未満である小型のスプリンクラーが用いられている。昨今の市場における乾式配管スプリンクラーは、天井を備えた大型の倉庫（２５フィート以上のもの）を守ることは不可能である。２５フィートを超える天井を有した大型倉庫を守るためには、Ｋファクタが１４以上で早期制圧速動型（ＥＳＦＲ：early suppression fast response）として設計された大型のスプリンクラーか、Ｋファクタが１４を有する大きな開口部で、冷蔵または冷凍の庫内の保存倉庫材の保護に用いられる調整モードスプリンクラーを有する大型のスプリンクラーが必要である。ＥＳＦＲスプリンクラーにとっては、熱応答トリガーが、反応時間係数（ＲＴＩ：response time index）１００メートル１／２秒１／２を有している。昨今の乾式スプリンクラーは、多くの構成部材を具備し、正確で一貫した質を維持するための長さの精密な許容差が必要とされている。
【０００５】
従って、乾式配管に用いることができる、一貫性があってコストを抑えた、許容差を緩くすることが可能なように調整できるように設計された乾式配管スプリンクラーが求められている。そこで、本願は、スプリンクラー本体と、当該スプリンクラー本体に搭載される熱応答素子とを備えたスプリンクラーを提供する。そして、当該スプリンクラーに連結される出口端と、入口端とを有する筐体も提供する。また、シール部材が当該筐体の入口端に配置され、熱応答素子とシール部材との間に荷重機構が広がっている。当該スプリンクラーは、熱い領域内にて水または火炎抑制剤の供給配管と連結でき、且つ、倉庫保管アプリケーションの冷凍領域内に配置されるように、壁または天井を貫通してトリガー及び搬送装置に融合できる。このようなシステムは、温度制御された供給配管システムに配置されたシールされた入口連結部を提供するとともに、区画の壁から冷凍領域までに通じる乾式バレルエクステンション、及び放出スプリンクラー機構が含まれる。当該放出スプリンクラー機構には、倉庫内において火災から守りたい領域にわたって火炎抑制剤を的確に放出することができるためのフューシブルトリガー機構及び分配面が設けられている。本発明は、スプリンクラーに設けられたオリフィス部材を適宜選択することによって、他の構成部材を変えることなく、Ｋファクタを変えることができる、大きなＫファクタを有する乾式スプリンクラーの使用を提供することにある。
【０００６】
本発明の更なる適用性は、以下の説明から明らかとなるだろう。尚、以下の実施例は、一例であり、本願発明の範囲がこれに限定されるものではない。
【０００７】
〔図面の説明〕
以下の説明図は単なる例示であって、本発明の範囲を制限するものではない。
【０００８】
図１は、本発明の主要構成である乾式スプリンクラーの斜視図である。
【０００９】
図２は、図１に示した乾式スプリンクラーの分解斜視図である。
【００１０】
図３は、図１に示した乾式スプリンクラーの断面図である。
【００１１】
図４は、本発明の主要構成である流出スプリンクラー及びトリガー組立品の分解図である。
【００１２】
図５は、図１に示した乾式スプリンクラーの流入端の拡大断面図である。
【００１３】
図６は、スプリンクラー本体の断面図である。
【００１４】
図７は、図６に示したスプリンクラー本体に対して横断側からみた断面図である。
【００１５】
図８は、本発明の主要構成に係る開口流出部材の斜視図である。
【００１６】
図９は、図８に示した開口流出部材の断面図である。
【００１７】
図１０は、本発明の主要構成に係る内部流路管の斜視図である。
【００１８】
図１１は、本発明の主要構成に係るシートサポートの斜視図である。
【００１９】
図１２は、スプリングベース及びスプリングシート組立品の斜視図である。
【００２０】
図１３は、図１２に示したスプリングベースの斜視図である。
【００２１】
図１４は、図１２に示したスプリングシートの斜視図である。
【００２２】
図１５は、本発明の主要構成に係る流入体の斜視図である。
【００２３】
図１６は、図１５に示した流入体の断面図である。
【００２４】
図１７は、本発明の主要構成に係る、配管システムに連結するための溝付き流入連結部を有した代替流入体の断面図である。
【００２５】
図１８は、本発明の主要構成に係る変位リングの斜視図である。
【００２６】
図１９は、本発明の主要構成に係るピプキャップ（pip cap）の斜視図である。
【００２７】
図２０は、本発明の主要構成に係る外側筐体の斜視図である。
【００２８】
図２１は、本発明の主要構成に係るロックナットの斜視図である。
【００２９】
〔本発明を実施するための最良の形態〕
以下の説明は、一実施形態であり本発明、その用途、その使用を限定するものではない。以下の図面並びに図面に付した部材番号などによって発明を理解することができるだろう。
【００３０】
図１に本発明の主要構成である乾式配管スプリンクラー組立品１０を示す。乾式配管スプリンクラー組立品１０は、熱応答素子１４が搭載されたスプリンクラー本体１２を具備している。熱応答素子１４は、支持プラグまたはピプキャップ１６に咬合している。偏向手段１８はスプリンクラー本体１２に搭載されている。スプリンクラー本体１２は外側筐体２０に搭載されており、外側筐体２０は、はめ込み部２２に搭載されている。ロックナット２４は、外側筐体２０に羅合しており、スプリンクラー本体１２に対して配置されている。
【００３１】
図２及び図３に、熱応答素子１４とベースシール部材２６との間に広がる荷重機構を具備する乾式配管スプリンクラー組立品１０を示す。荷重機構は、シートサポート部２８と、内側流路管３０と、出口オリフィス部材３２とを有している。図３に示すように、シートサポート部２８は、その第１の端部においてベースシール部材２６と咬合しており、その第２の端部において内側流路管３０と咬合している。内側流路管３０は、出口オリフィス部材３２に咬合しており、出口オリフィス部材３２は、支持プラグまたはピプキャップ１６と咬合している。熱応答素子１４は、支持プラグまたはピプキャップ１６とピントルねじ３４との間に配置されており、ピントルねじ３４は、スプリンクラー本体１２のフレームアーム３８の端部においてねじボス３６内に羅合により受けとめられている。ベースシール部材２６は、ベルヴィルスプリングワッシャー（Belleville spring washer）の形態でスプリングシート４０に対して配置されている。スプリングシート４０は、はめ込み部２２の入口端の上に設けられたシート表面４２に対して配置されている。
【００３２】
変位リング４４は、図５に示すように、はめ込み部２２の内面に設けられた凹溝４６に受けとめられている。図１８に示すように、変位リング４４は、環状リング４４ａ及び半径方向内向きに伸びた指部４４ｂを有しており、半径方向内向きに伸びた指部４４ｂは、乾式配管スプリンクラー組立品１０の熱応答素子１４が作動した場合にベースシール部材２６を傾かせ、ベースシール部材２６がはめ込み部に詰まることを防ぐと共に、そこを通る火炎抑制剤の流れを滞らせることを防ぐ。
【００３３】
図６及び図７に、内側ねじ部５０を有するスプリンクラー本体１２を示す。内側ねじ部５０は、外側筐体２０の雄ねじ５２に咬合している。スプリンクラー本体１２上の内側ねじ部５０は、外側筐体２０のサイズを縮小することを可能にしている。スプリンクラー本体１２は、更に、内側ねじ部５０に隣接して配置されたストップ部５４を有するとともに、支持プラグまたはピプキャップ１６を受けとめるベアリング面５６を有している。図３に示すように、ストップ部５４は、出口オリフィス部材３２に設けられた肩部５８とは離間して配置されている。当該ストップ面は、熱応答素子１４が作動した場合には、出口オリフィス部材３２の軸上での境界を定めている。
【００３４】
図５及び図２０に、はめ込み部２２の出口端に設けられた雌ねじ６２と咬合するために、その入口端にねじ端部６０を有した外側筐体２０を示す。図１５及び図１６には、はめ込み部２２が、図３に示すように、供給管系統８のＴ継手もしくは肘に咬合できるように構成されている。図１５及び図１６に示すように、はめ込み部２２には、システム配管に羅合するために雄ねじ６４を設けることができる。また、その代わりに、図１７に示すように、はめ込み部２２´は、供給管系統８と連結する、溝が形成された連結部を設けるように構成されていてもよく、あるいは、周知のように他の連結構造を設けるように構成されていてもよい。はめ込み部２２の連結によって、供給管系統８から装置を通じて液状の抑制剤が流れる。更に、当該はめ込み部は、突起部６６を有している。突起部６６は、供給管系統８内に突出しており、ベースシール部材２６の領域内のはめ込み部２２上に霜栓（フロストプラグ）が形成されるのを防ぐことができる。霜栓を更に防ぐためにスロット６８がはめ込み部２２上の突起部内に機械加工されている。スロット６８は、メンテナンス、テスト、あるいは他の目的で供給管系統８から水または液体が抜かれた場合に、水または他の液体をはめ込み部の入口端に保持することを可能にするとともに、はめ込み部からの他の残渣の排出を可能にする。
【００３５】
上述したように、はめ込み部２２は、更に、その内部に変位リング４４を受けとるための凹溝４６を有している。変位リング４４は、ベースシール部材２６とスプリングシート４０との組立品が熱応答素子１４の動作上で滞ることを防ぐために、正確な位置に配置されている。連結位置は、ベースシール部材２６とスプリングシート４０との組立品がシートサポート部２８の上で動きがとれなくなることを防ぐことができるように設計され、ベースシール部材２６とスプリングシート４０とを、乾式配管スプリンクラー組立品１０を通る液体を妨害することがないように移動させることを可能にする。
【００３６】
図５に示すように、はめ込み部２２は、シールシート面７２に隣接する位置に配置された傾斜面７０を有している。シールシート面７２に隣接する傾斜面７０は、スプリングシート４０を、はめ込み部２２の中央に位置させる。傾斜面７０は更に、相当な負荷がかかったことによって当該シールが動くような場合の、当該シールのずれを防ぐ。
【００３７】
はめ込み部２２は更に、内側ベアリング面７４を規定しており、内側流路管３０が、内側ベアリング面７４に対して支持され、スプリンクラーヘッドの作動時に平行移動する。内側ベアリング面７４は、乾式スプリンラーの老朽化及び／または腐食につれ、内側流路管３０の自由な平行移動を可能にするように、ある程度の許容範囲をもって設計されている。
【００３８】
図２０によれば、外側筐体２０は２つの雄ねじ５２、６０を有するように構成されている。２つの雄ねじ５２、６０は、ベースシール部材２６に対してスプリンクラー本体１２を正確に位置付けている。ねじ端部６０の隣のポジティブストップ７６からなるはめ込み部２２への外側筐体２０との連結については、図５に具体的に示されている。スプリンクラー本体１２への外側筐体２０の連結については、図３に具体的に示されており、外側筐体２０上に雄ねじ５２を有していて、スプリンクラー本体１２を、ベースシール部材２６から離間できるように配置することを可能にしている。これらの雄ねじ５２はまた、ロックナット２４を用いて、スプリンクラー本体１２を位置固定するためにも用いられる。ロックナット２４は、スプリンクラー本体１２に対して支持されている。
【００３９】
ピントルねじ３４は、熱応答素子１４と、支持プラグまたはピプキャップ１６と、出口オリフィス部材３２と、内側流路管３０と、シートサポート部２８と、ベースシール部材２６との正確且つ所定の平行移動をもたらすために、スプリンクラー本体１２のねじボス３６内に回転される。これは、スプリングシート４０のたわみをもたらすとともに、封止（シール）をもたらす。スプリングシート４０は、好ましくはポリテトラフルオロエチレンでコートされている。これにより、シート表面にスプリングシートがくっついてしまうことを回避することができる。ベルヴィルスプリングシート４０上の負荷は、拡張性の封止をもたらし、これにより、スプリンクラーが設置されている環境下において材料の熱膨張によって乾式スプリンクラー組立品が伸長した場合であっても、装置を通じた液状の抑制剤の液流を防ぐことができる。支持プラグまたはピプキャップ１６は、出口オリフィス部材３２に対して支持する２つのリブを有するように設計されている。リブは、スプリンクラー本体１２への支持プラグまたはピプキャップ１６の整列をもたらし、内部に構成される組立品に影響する座屈（バックリング）を回避することができる。リブは更にスプリンクラーの老朽化及び／または腐食につれ自由な平行移動が可能となるように設計されている。リブは更に、負荷がかけられた乾式スプリンクラー内においてシール２６、４０を流れる残水を乾式配管スプリンクラー組立品１０から追い出して、霜栓を回避させる。
【００４０】
出口オリフィス部材３２は、出口オリフィス８０を有している。出口オリフィス８０は、スプリンクラーヘッド組立品の流量係数またはＫファクタを決定する、流れる液状の抑制剤の流路抵抗を規定する。スプリンクラー組立品のＫファクタは、流路を流れる液体（例えば水）の毎分のガロン流出量を、本体に流れる、平方インチゲージ当たりのポンドの流体の圧力の平方根で割ったものと等しい。乾式配管スプリンクラーのＫファクタが１４以上のものは従来無かった。そこで、本発明は、多重（マルチ）で互いに異なる出口オリフィス部材３２を、概して等しい外径を有し、且つ大きさが互いに異なる出口オリフィス８０とともに、提供することができる。出口オリフィス８０は乾式配管スプリンクラー組立品１０とともに使用することができ、Ｋファクタが１４以上の多種の最終用途のために異なるＫファクタを実現する異なる出口オリフィス部材３２を除いて、共通する全ての構成を用いることができる。出口オリフィス部材３２の入口端は、その内部に内側流路管３０を受けとめることができるように設計されている。また、当該流出オリフィスの入口端には、内側流路管３０が配置されているところに対してレッジ（ledge）８２が設けられている。出口オリフィス部材３２の入口端は、内側流路管３０を受けとめることによって内側流路管３０の入口路の端が破壊されるのを防ぐことができるように設計されている。
【００４１】
内側流路管３０は、図５及び図１０に示したようなフランジ部９０を有している。フランジ部９０は、シートサポート部２８を受けとめるように設計されており、且つシートサポート部２８のためのポジティブストップを提供できるように設計されている。フランジ部９０の外側表面は、ベアリング面を有するように設計されている。このベアリング面は、はめ込み部２２に対して支持し且つ平行移動する。フランジ部９０の外側表面上の当該ベアリング面は、スプリンクラーの老朽化及び／または腐食につれ自由な平行移動が可能となるように設計されている。内側流路管３０は、十分な径を有するように設計されている、これにより、そこを通る液状抑制剤の制限を防ぐことができる。多種の長さを有する外側筐体２０は、供給管系統８にスプリンクラー本体１２を連結するために用いることができる。内側流路管３０もまた、荷重機構のための適切な空きを提供するために、外側筐体それぞれの長さに対応する長さを有している。広範囲の製作交差が、スプリンクラー本体１２と、調整可能なポジティブストップを提供するロックナット２４を有する外側筐体２０との間のネジ式の連結によって調整される。
【００４２】
シートサポート部２８は、図１１に示すように、３つの脚部９４を有している。脚部９４は、シートサポート部２８の中央であって、ベースシール部材２６に対向した位置において、内側流路管３０から先端９６に負荷を伝達する。シートサポート部２８の各脚部９４は、内側流路管３０へ圧縮されるように設計されており、これにより、各脚部の均等な負荷を実現することができる。脚部９４は更に、所定の長さほど内側流路管３０に入るように設計されている。これは、バックリングを防ぎ、内部の構成を正確な位置に配置することができる。
【００４３】
ベースシール部材２６は、スプリングシート４０に負荷を伝達するために十分な厚さを有するように設計されている。ベースシール部材２６は更に、シートサポート部２８の脚部同士に間に入り込むことができるような外径を有している。これにより、はめ込み部２２を通る流路領域を最大限とすることができる。ベースシール部材２６は更にスプリングシート４０を受けとめることができるように設計されており、しっかりとスプリングシートに固定固定されている。これにより、液状抑制剤が乾式配管スプリンクラー組立品１０を通じて流れるように、スプリングシートが分離されることを防ぐことができる。ベースシール部材２６は更に、スプリングシート４０が、液状抑制剤の流れを防ぐためにスプリングシート４０が支持するシール面を考慮して設計される。スプリングシート４０は、図１４に示すように、付着しないようなコーティング（例えば、ポリテトラフルオロエチレン）を有したベルヴィルスプリングワッシャーを有している。スプリングシート４０は、所定の高さまで圧縮された場合に、スプリングシート４０が液状抑制剤の流れを防ぐことができるように設計されている。ベルヴィルスプリングワッシャー４０は、その両側にシールが設けられている。一報のシールははめ込み部２２で作られ、他方のシールはベースシール部材２６で作られる。
【００４４】
動作においては、熱応答素子１４が熱によって作動したときに、支持プラグまたはピプキャップ１６が、出口オリフィス部材３２と、内側流路管３０と、シートサポート部２８と、ベースシール部材２６との平行移動からスプリンクラー本体１２から排出されるように、乾式配管スプリンクラー組立品１０は設計されている。これは、スプリングシート４０と、液状抑制剤の圧力とから力を受けている。出口オリフィス部材３２と内側流路管３０とシートサポート部２８とによって規定される荷重機構の平行移動は、シールベースによって規定されるものと同様に、流出オリフィス部材がスプリンクラー本体１２上のストップ部５４に届くように止められる。ベースシール部材２６は、変位リング４４の半径方向内向きに伸びた指部４４ｂに接するまで平行移動し、その後、シートサポート部２８の脚部９４内へと更に平行移動される前に回転される。液状抑制剤の流れは、よって、出口オリフィス部材３２において最大のポテンシャルとなる。出口オリフィス部材３２は、液状抑制剤が出口オリフィス部材３２を通じて、インストーラーの所望のＫファクタにて流れることを可能にする。
【００４５】
本発明の目的として、一実施形態を示した。尚、本発明の範囲が上記の形態に限定されるものではない。特に、上記において説明した荷重機構は、上述のように、シートサポート部２８と、内側流路管３０と、出口オリフィス部材３２との３つのそれぞれ別体の構成を有するものであってもよく、あるいは、これよりも数が多いか少ない構成要素が一体となっていたり、２つ以上の構成要素となっているものであってもよい。更に、上記した筐体として、上記したような管（チューブ）状の筐体２０とはめ込み部２２とをそれぞれ別体で備えてもよく、あるいは、これらを一体で構成したり、１つ以上の部材から構成することも可能である。更に、乾式配管スプリンクラー組立品１０を示すとともに、連結タイプの熱応答素子１４を使用した構成について説明したが、他の熱応答素子であってもよい。例えば、球状タイプのものであっても本発明に用いることができる。更に、熱応答素子１４は、ＥＳＦＲスプリンクラーとなる１００メートル１／２秒１／２以下のＲＴＩを具備することができる。
【図面の簡単な説明】
【００４６】
【図１】本発明の主要構成である乾式スプリンクラーの斜視図である。
【図２】図１に示した乾式スプリンクラーの分解斜視図である。
【図３】図１に示した乾式スプリンクラーの断面図である。
【図４】本発明の主要構成である流出スプリンクラー及びトリガー組立品の分解図である。
【図５】図１に示した乾式スプリンクラーの流入端の拡大断面図である。
【図６】スプリンクラー本体の断面図である。
【図７】図６に示したスプリンクラー本体に対して横断側からみた断面図である。
【図８】本発明の主要構成に係る開口流出部材の斜視図である。
【図９】図８に示した開口流出部材の断面図である。
【図１０】本発明の主要構成に係る内部流路管の斜視図である。
【図１１】本発明の主要構成に係るシートサポートの斜視図である。
【図１２】スプリングベース及びスプリングシート組立品の斜視図である。
【図１３】図１２に示したスプリングベースの斜視図である。
【図１４】図１２に示したスプリングシートの斜視図である。
【図１５】本発明の主要構成に係る流入体の斜視図である
【図１６】図１５に示した流入体の断面図である。
【図１７】本発明の主要構成に係る、配管システムに連結するための溝付き流入連結部を有した代替流入体の断面図である。
【図１８】本発明の主要構成に係る変位リングの斜視図である。
【図１９】本発明の主要構成に係るピプキャップの斜視図である。
【図２０】本発明の主要構成に係る外側筐体の斜視図である。
【図２１】本発明の主要構成に係るロックナットの斜視図である。
【図１】
2009526613.tif 000002
【図２】
2009526613.tif 000003
【図３】
2009526613.tif 000004
【図４】
2009526613.tif 000005
【図５】
2009526613.tif 000006
【図６】
2009526613.tif 000007
【図７】
2009526613.tif 000008
【図８】
2009526613.tif 000009
【図９】
2009526613.tif 000010
【図１０】
2009526613.tif 000011
【図１１】
2009526613.tif 000012
【図１２】
2009526613.tif 000013
【図１３】
2009526613.tif 000014
【図１４】
2009526613.tif 000015
【図１５】
2009526613.tif 000016
【図１６】
2009526613.tif 000017
【図１７】
2009526613.tif 000018
【図１８】
2009526613.tif 000019
【図１９】
2009526613.tif 000020
【図２０】
2009526613.tif 000021
【図２１】
2009526613.tif 000022
【国際調査報告】
2009526613.tif 000023